(57)【要約】【課題】携帯型情報端末に関連付けられた画像の表示位置を好適に決定する。【解決手段】表示装置（１）は、一又は複数の携帯型情報端末（２）からの信号を受信する信号受信手段（１１ａ、１１ｂ）と、上記信号の送信元携帯型情報端末と、表示装置との相対的な位置を特定する位置特定手段（１３）と、送信元携帯型情報端末に関連付けられた画像の上記表示部における表示位置を、特定された位置に基づいて決定する位置決定手段（１４）とを備えている。【選択図】図１
2015002540.tif 000002
【特許請求の範囲】
【請求項１】
一又は複数の画像を表示する表示部を備えた表示装置であって、
一又は複数の携帯型情報端末から送信される信号を受信する信号受信手段と、
上記信号受信手段が受信した上記信号の送信元である送信元携帯型情報端末と、当該表示装置との相対的な位置を特定する位置特定手段と、
上記送信元携帯型情報端末に関連付けられた画像の上記表示部における表示位置を、上記位置特定手段により特定された上記相対的な位置に基づいて決定する表示位置決定手段と、
上記送信元携帯型情報端末に関連付けられた画像を、上記表示位置決定手段により決定された上記表示位置に表示する表示制御手段と、を備えている、
ことを特徴とする表示装置。
【請求項２】
上記信号受信手段が受信する信号には、画像信号が含まれており、
当該表示装置は、上記画像信号の示す画像と、当該画像信号の送信元である携帯型情報端末とを関連付けて管理する第１の管理手段を備えている、
ことを特徴とする請求項１に記載の表示装置。
【請求項３】
上記信号受信手段が受信する信号には、操作信号が含まれており、
当該表示装置は、上記操作信号による操作の対象となる画像と、当該操作信号の送信元である携帯型情報端末とを関連付けて管理する第２の管理手段を備えている、
ことを特徴とする請求項１に記載の表示装置。
【請求項４】
上記表示部が複数の画像を表示する場合、
上記表示位置決定手段は、上記複数の画像のうち、上記送信元携帯型情報端末に関連付けられた画像以外の画像の表示位置または表示サイズの少なくとも何れかを、上記送信元携帯型情報端末に関連付けられた画像の表示位置に応じて決定する、
ことを特徴とする請求項１から３の何れか１項に記載の表示装置。
【請求項５】
上記送信元携帯型情報端末のユーザを特定するユーザ特定手段と、
上記送信元携帯型情報端末に関連付けられた画像の画質を、上記ユーザ特定手段により特定されたユーザに対して予め定められた、画質調整の設定値を示すユーザ設定情報に基づいて調整する画質調整手段と、
をさらに備えていることを特徴とする請求項１から４の何れか１項に記載の表示装置。
【請求項６】
上記ユーザ設定情報は、上記信号受信手段が上記携帯型情報端末から受信する上記信号に含まれている、
ことを特徴とする請求項５に記載の表示装置。
【請求項７】
上記信号受信手段は、複数のアンテナと、上記複数のアンテナの各々が受信した電波の電波強度を検出する複数の電波強度検出手段を備え、
上記位置特定手段は、上記複数の電波強度検出手段が検出した複数の電波強度のうち、何れか２つの電波強度の差に基づいて、上記携帯型情報端末と、当該表示装置との相対的な位置を特定する、
ことを特徴とする請求項１から６の何れか１項に記載の表示装置。
【請求項８】
上記携帯型情報端末のユーザの視線方向を特定する視線方向特定手段をさらに備え、
上記位置特定手段は、上記視線方向特定手段が特定した上記ユーザの視線方向に基づいて、上記携帯型情報端末と、当該表示装置との相対的な位置を特定する、
ことを特徴とする請求項１から６の何れか１項に記載の表示装置。
【請求項９】
上記視線方向特定手段は、上記携帯型情報端末の備える撮像手段により撮像された、上記携帯型情報端末のユーザの顔画像に基づいて、上記視線方向を特定する、
ことを特徴とする請求項８に記載の表示装置。
【請求項１０】
上記信号受信手段が上記携帯型情報端末から受信する上記信号には、上記表示部に表示する画像のコンテンツを選択するためのコンテンツ選択情報が含まれている、
ことを特徴とする請求項１から９の何れか１項に記載の表示装置。
【請求項１１】
上記表示部に表示する各画像に対応する音声を出力する複数の音声出力手段と、
上記送信元携帯型情報端末に関連付けられた画像に対応する音声の音量または音質の少なくとも何れかを、上記ユーザ特定手段により特定されたユーザに対して予め定められた、上記音声の音量および音質の設定値を示す音声設定情報と、上記位置特定手段により特定された上記相対的な位置とに基づいて調整する音声調整手段と、
をさらに備えていることを特徴とする請求項５又は６に記載の表示装置。
【請求項１２】
上記音声設定情報は、上記信号受信手段が上記携帯型情報端末から受信する上記信号に含まれている、
ことを特徴とする請求項１１に記載の表示装置。
【請求項１３】
一又は複数の画像を表示する表示部を備えた表示装置の制御方法において、
一又は複数の携帯型情報端末から送信される信号を受信する信号受信ステップと、
上記信号受信ステップにて受信した上記信号の送信元である送信元携帯型情報端末と、当該表示装置との相対的な位置を特定する位置特定ステップと、
上記送信元携帯型情報端末に関連付けられた画像の上記表示部における表示位置を、上記位置特定ステップにて特定された上記相対的な位置に基づいて決定する表示位置決定ステップと、
上記送信元携帯型情報端末に関連付けられた画像を、上記表示位置決定ステップにて決定された上記表示位置に表示する表示制御ステップと、を含んでいる、
ことを特徴とする表示装置の制御方法。
【請求項１４】
請求項１から１２のいずれか１項に記載の表示装置の上記各手段を備えていることを特徴とするテレビジョン受像機。
【請求項１５】
請求項１から１２のいずれか１項に記載の表示装置としてコンピュータを機能させるための画像表示プログラムであって、コンピュータを上記各手段として機能させるための画像表示プログラム。
【請求項１６】
請求項１５に記載の画像表示プログラムを記録したコンピュータ読み取り可能な記録媒体。
【発明の詳細な説明】
【技術分野】
【０００１】
本発明は、多画面表示が可能な表示装置（例えば、テレビジョン受像機）、およびそのような表示装置の制御方法に関する。更に、本発明は、コンピュータをそのような表示装置として機能させるプログラム、および、そのようなプログラムが記録された記録媒体に関する。
【背景技術】
【０００２】
複数の画像を多画面表示することが可能な表示装置が従来技術として知られている。このような表示装置においては、複数のユーザが、同時に異なるコンテンツを視聴することができる。例えば、特許文献１には、複数の画像を同時に表示する表示装置において、人の存在を検知する検知手段により検知された情報に基づいて、表示画面を分割し、分割された各画像の表示方向を異ならせるように表示する技術が開示されている。
【０００３】
また、Miracast（登録商標）のように、スマートフォンから送信された画像信号に基づいて、表示装置にスマートフォンの表示画面を表示する技術も知られている。さらに、Miracastと、多画面表示が可能な表示装置とを組み合わせることにより、複数のスマートフォンから取得した表示画面を同時に表示することも可能になっている。
【０００４】
近年では、ユーザがテレビを視聴しながらスマートフォンを操作するケースが増えている。例えば、放送中のコンテンツに関連する情報を検索するような場合や、ＳＮＳ（Social Network Service）を通じて、放送中のコンテンツについて、他のユーザとコミュニケーションを図るような場合などが挙げられる。このような場合、Miracastを用いて、放送中のコンテンツと、スマートフォンの表示画面とを同時に表示することもある。
【先行技術文献】
【特許文献】
【０００５】
【特許文献１】特開２０１１−５４０６９号公報（２０１１年３月１７日公開）
【発明の概要】
【発明が解決しようとする課題】
【０００６】
従来の多画面表示が可能な表示装置においては、カメラや圧電素子などの人の存在を検知するための検知手段を備える必要があった。このため、表示装置の構成が複雑になるという問題があった。本発明の発明者は、ユーザがスマートフォンを操作しながら表示装置を視聴している場合において、表示装置とスマートフォンとを連携させることにより、該スマートフォンの位置、すなわち、該スマートフォンのユーザの位置を検出することができるとの知見を得た。
【０００７】
本発明は、上記の問題に鑑みて行われたものであり、その目的は、表示装置に人の存在を検知するための検知手段を新たに設けることなく、スマートフォン（携帯型情報端末）に関連付けられた画像の表示位置を好適に決定することが可能な表示装置を提供することにある。
【課題を解決するための手段】
【０００８】
上記の課題を解決するために、本発明の一態様に係る表示装置は、一又は複数の画像を表示する表示部を備えた表示装置であって、一又は複数の携帯型情報端末から送信される信号を受信する信号受信手段と、上記信号受信手段が受信した上記信号の送信元である送信元携帯型情報端末と、当該表示装置との相対的な位置を特定する位置特定手段と、上記送信元携帯型情報端末に関連付けられた画像の上記表示部における表示位置を、上記位置特定手段により特定された上記相対的な位置に基づいて決定する表示位置決定手段と、上記送信元携帯型情報端末に関連付けられた画像を、上記表示位置決定手段により決定された上記表示位置に表示する表示制御手段と、を備えている、ことを特徴としている。
【０００９】
また、上記の課題を解決するために、本発明の一態様に係る表示装置の制御方法は、一又は複数の画像を表示する表示部を備えた表示装置の制御方法において、一又は複数の携帯型情報端末から送信される信号を受信する信号受信ステップと、上記信号受信ステップにて受信した上記信号の送信元である送信元携帯型情報端末と、当該表示装置との相対的な位置を特定する位置特定ステップと、上記送信元携帯型情報端末に関連付けられた画像の上記表示部における表示位置を、上記位置特定ステップにて特定された上記相対的な位置に基づいて決定する表示位置決定ステップと、上記送信元携帯型情報端末に関連付けられた画像を、上記表示位置決定ステップにて決定された上記表示位置に表示する表示制御ステップと、を含んでいる、ことを特徴としている。
【発明の効果】
【００１０】
本発明の一態様によれば、表示装置に人の存在を検知するための検知手段を新たに設けることなく、スマートフォン（携帯型情報端末）に関連付けられた画像の表示位置を好適に決定することができる。
【図面の簡単な説明】
【００１１】
【図１】本発明の実施形態１に係る表示装置と、該表示装置に信号を送信する携帯型情報端末の構成を示すブロック図である。
【図２】本発明の実施形態１に係る表示装置が行う処理の手順を示すフローチャートである。
【図３】本発明の実施形態１に係る表示装置において、電波強度を検出することにより、携帯型情報端末と表示装置との相対的な位置を特定し、携帯型情報端末に関連付けられた画像の表示位置を、特定した位置に基づいて決定する手順の一例を示す概要図である。
【図４】本発明の一実施形態に係る表示装置が表示する画面の一例を示す図である。
【図５】本発明の実施形態１に係る表示装置において、複数の携帯型情報端末から画像信号を受信する場合の各画像の表示位置の決定手順について説明するための概要図である。
【図６】本発明の実施形態２に係る表示装置と、該表示装置に信号を送信する携帯型情報端末の構成を示すブロック図である。
【図７】本発明の実施形態２に係る表示装置が行う処理の手順を示すフローチャートである。
【図８】本発明の実施形態１に係る表示装置において、ユーザの視線方向を特定することにより、携帯型情報端末と表示装置との相対的な位置を特定し、携帯型情報端末に関連付けられた画像の表示位置を、特定した位置に基づいて決定する手順の一例を示す概要図である。
【図９】本発明の実施形態４に係る表示装置と、該表示装置に信号を送信する携帯型情報端末の構成を示すブロック図である。
【図１０】本発明の実施形態４に係る表示装置が行う処理の手順を示すフローチャートである。
【図１１】本発明の実施形態４に係る表示装置において、電波強度を検出することにより、携帯型情報端末と表示装置との相対的な位置を特定し、携帯型情報端末に関連付けられた画像の表示位置を、特定した位置に基づいて決定するとともに、該画像に対応する音声の音量または音質の少なくとも何れかを調整する手順の一例を示す概要図である。
【図１２】本発明の一実施形態に係る表示装置が表示する画面の遷移の一例を示す図である。図１２の（ａ）は、表示装置が表示する画面の一例を示しており、図１２の（ｂ）は、表示装置が図１２の（ａ）に示す画面を表示している状態において、携帯型情報端末に関連付けられた画像をさらに表示する場合に、表示装置が表示する画面の一例を示している。
【図１３】本発明の一実施形態に係る表示装置が表示する画面の遷移の他の一例を示す図である。図１３の（ａ）は、表示装置が表示する画面の一例を示しており、図１３の（ｂ）は、表示装置が図１２の（ａ）に示す画面を表示している状態において、携帯型情報端末に関連付けられた画像をさらに表示する場合に、表示装置が表示する画面の他の一例を示している。
【図１４】本発明の一実施形態に係る表示装置が表示する画面の遷移の一例を示す図である。図１４の（ａ）は、表示装置が表示する画面の一例を示している。図１４の（ｂ）は、表示装置が図１４の（ａ）に示す画面を表示している状態において、携帯型情報端末に関連付けられた画像の表示位置を決定した後に、表示装置が表示する画面の一例を示している。
【発明を実施するための形態】
【００１２】
〔実施形態１〕
以下、本発明に係る表示装置の第１の実施形態について図１から４を参照しながら、詳細に説明する。
【００１３】
（表示装置１の構成）
図１は、本発明の実施形態１に係る表示装置１と、該表示装置に信号を送信するスマートフォン２（送信元携帯型情報端末）の構成を示すブロック図である。なお、本実施形態においては、表示装置１は、テレビジョン受像機であり、携帯型情報端末としてスマートフォン２を用いている場合について説明するが、本発明はこれに限定されるものではない。例えば、携帯型情報端末としては、携帯電話、タブレット型ＰＣなどであってもよい。また、以下の説明において、表示装置１が表示する画像は、動画像であってもよいし、静止画像であってもよい。したがって、本明細書中において使用される「画像」は、動画像及び静止画像を含むものである。
【００１４】
図１に示すように、表示装置１は、アンテナ１１ａ、１１ｂ、受信信号解析部１２、位置特定部１３、表示制御部１４、電波強度検出部１５ａ、１５ｂ、ユーザ特定部１６、及び、表示部１７を備えている。表示装置１は、その他、図示しないＣＰＵ（Central Processing Unit）およびメモリを備えており、表示装置１の動作は、ＣＰＵおよびメモリに記憶された各種の制御プログラムにより制御される。即ち、図１に示された表示装置１では、ＣＰＵを含むコンピュータ・システムによって制御されており、表示装置１をコンピュータ・システムによって動作させるためのプログラムはメモリ（不図示）に記憶されている。
【００１５】
また、スマートフォン２は、送信信号生成部２１、及び、アンテナ２２を備えている。送信信号生成部２１は、表示装置１に送信する送信信号を生成するための手段である。本実施形態において、送信信号生成部２１が生成する送信信号には、スマートフォン２を識別するための機器ＩＤを示すＩＤ情報、ＩＤ情報に予め関連付けられたユーザを示すユーザ情報、ユーザごとに予め定められた画質調整の設定値を示すユーザ設定情報、および、表示装置１に表示する画像を示す画像信号などが含まれている。また、アンテナ２２は、送信信号を送信するための手段である。送信信号生成部２１により生成された送信信号は、アンテナ２２を介して表示装置１に送信される。
【００１６】
アンテナ１１ａ、１１ｂは、スマートフォン２から送信される信号を受信するための信号受信手段である。本実施形態においては、アンテナ１１ａ、１１ｂは、スマートフォン２の送信信号生成部２１により生成される送信信号であって、アンテナ２２を介してスマートフォン２から送信される送信信号をそれぞれ受信する。アンテナ１１ａ、１１ｂは、例えば、表示装置１の額縁の下辺（表示面に向かって下方の辺）部分の両端にそれぞれ設けられている。上述したように、アンテナ１１ａ、１１ｂがアンテナ２２を介してスマートフォン２から受信する信号（以下では、受信信号とも呼称する）には、ＩＤ情報、ユーザ情報、ユーザ設定情報、および、画像信号などが含まれている。なお、本実施形態において、表示装置１が表示部１７に表示する画像は、スマートフォン２から送信された画像信号に基づくものである場合について説明するが、本発明はこれに限定されるものではない。例えば、表示装置１は、受信した放送信号に基づいて、放送信号の示すコンテンツを表示してもよいし、外部機器（例えば、コンテンツ再生機器）から入力された画像信号の示す画像を表示してもよい。
【００１７】
アンテナ１１ａ、１１ｂは、無線通信により、アンテナ２２を介してスマートフォン２から送信される送信信号をそれぞれ受信する。なお、アンテナ１１ａ、１１ｂと、アンテナ２２との無線方式は、本発明を限定するものではなく、例えば、Wi-Fi（登録商標）、または、Bluetooth（登録商標）を用いてもよい。アンテナ１１ａまたは１１ｂは、受信した受信信号を受信信号解析部１２に供給する。本実施形態においては、アンテナ１１ａが、受信信号を受信信号解析部１２に供給する場合について説明するが、本発明はこれに限定されるものではなく、アンテナ１１ｂが、受信信号を受信信号解析部１２に供給する構成としてもよい。すなわち、アンテナ１１ａ、１１ｂが受信する信号は互いに同一であるため、アンテナ１１ａまたは１１ｂが受信した受信信号のうち、少なくとも何れかが受信信号解析部１２に供給されるように構成すればよい。
【００１８】
電波強度検出部１５ａ、１５ｂは、アンテナ１１ａ、１１ｂが受信する電波の電波強度を検出するための電波強度検出手段である。本実施形態において、電波強度検出部１５ａ、１５ｂは、アンテナ１１ａ、１１ｂが受信する電波の電波強度をそれぞれ検出する。電波強度検出部１５ａ、１５ｂは、検出した電波強度を位置特定部１３に供給する。
【００１９】
受信信号解析部１２は、アンテナ１１ａ、１１ｂを介して受信した受信信号を解析するための受信信号解析手段である。受信信号解析部１２は、受信信号を解析し、受信信号に含まれる画像信号を表示制御部１４に供給する。また、受信信号解析部１２は、受信信号を解析し、受信信号に含まれるスマートフォン２のＩＤ情報を位置特定部１３に供給する。さらに、受信信号解析部１２は、受信信号に含まれる画像信号の示す画像と、当該画像信号の送信元であるスマートフォン２とを関連付けて管理する管理手段（第１の管理手段）としても機能する。より具体的には、受信信号解析部１２は、受信信号を解析し、受信信号に含まれる画像信号の示す画像と、スマートフォン２のＩＤ情報とを関連付けて管理する。受信信号解析部１２は、画像信号の示す画像と、スマートフォン２とが関連付けられて管理されていることを示す管理情報を生成し、生成した管理情報を表示制御部１４に供給する。さらに、受信信号解析部１２は、受信信号を解析し、受信信号に含まれるＩＤ情報に予め関連付けられたユーザ情報と、ユーザごとに予め定められた画質調整の設定値を示すユーザ設定情報とをユーザ特定部１６に供給する。
【００２０】
位置特定部１３は、アンテナ１１ａ、１１ｂが受信した信号の送信元であるスマートフォン２と、表示装置１との相対的な位置を特定するための位置特定手段である。位置特定部１３は、受信信号解析部１２から供給されたＩＤ情報を参照することにより、スマートフォン２が、受信信号の送信元であることを特定する。本実施形態において、位置特定部１３は、電波強度検出部１５ａ、１５ｂが検出した各々の電波強度の差に基づいて、スマートフォン２と表示装置１との相対的な位置を特定する。
【００２１】
（相対的な位置の特定）
以下では、位置特定部１３が、スマートフォン２と表示装置１との相対的な位置を特定する手順について、図３及び図４を参照しながら説明する。図３は、本実施形態に係る表示装置１において、電波強度を検出することにより、スマートフォン２と、表示装置１との相対的な位置を特定し、スマートフォン２に関連付けられた画像の表示位置を、特定した位置に基づいて決定する手順の一例を示す概要図である。図４は、本実施形態に係る表示装置１が表示する画面の一例を示す図である。なお、図３及び図４に示した表示装置１が表示する画面はあくまで一例であって、本発明を限定するものではない。表示装置１が表示する画面のその他の例については、参照する図面を代えて後述する。すなわち、表示装置１の寸法、表示する各画像の縦横比、および、アンテナ１１ａ、１１ｂが設けられている位置などは、図３及び図４に示したものに限定されない。
【００２２】
図３に示す例においては、表示装置１は、画面ａおよび画面ｂの二画面を表示している。また、図４に示す例においては、表示装置１は、主画面と、主画面の周囲に配置された複数の副画面ａ〜ｅを表示している。図３に示すように、本実施形態において、アンテナ１１ａ、１１ｂは、表示装置１の額縁の下辺（表示面に向かって下方の辺）部分の両端にそれぞれ設けられている。したがって、スマートフォン２からアンテナ１１ａまでの距離と、スマートフォン２から１１ｂまでの距離とが互いに異なる場合には、スマートフォン２と表示装置１との相対的な位置を特定することが可能になる。一般的に、無線通信において、送信側と受信側との距離に応じて通信時の電波強度が変化するという性質があるためである。より具体的には、送信側と受信側との距離が遠くなるに従って電波強度が減衰するという傾向がある。例えば、図３に示す例においては、アンテナ１１ａが受信する電波の電波強度は、アンテナ１１ｂが受信する電波の電波強度よりも低い値を示す。したがって、位置特定部１３は、スマートフォン２が表示装置１に対して、アンテナ１１ｂに近い側に位置していることを特定することができる。位置特定部１３は、特定した位置を示す位置情報を生成し、生成した位置情報を表示制御部１４に供給する。
【００２３】
なお、本実施形態においては、２つのアンテナ１１ａ、１１ｂが受信した電波の電波強度を検出する構成を採用しているが、図示しない第３のアンテナおよび第３の電波強度検出部をさらに備える構成としてもよい。第３のアンテナは、表示装置１の額縁の下辺部分において、アンテナ１１ａとアンテナ１１ｂとの間の位置に設けることが好ましい。上記の構成によれば、例えば、アンテナ１１ａ、１１ｂが受信する電波の電波強度が互いに等しい値を示している場合に、第３のアンテナが受信する電波の電波強度をさらに検出することにより、スマートフォン２と表示装置１との相対的な位置をより正確に特定することができる。
【００２４】
また、第３のアンテナを表示装置１の額縁の上辺（下辺に対向する辺であって、表示面に向かって上方の辺）に設ける構成としてもよい。上記の場合には、第３のアンテナが受信した電波の電波強度と、アンテナ１１ａまたはアンテナ１１ｂが受信した電波の電波強度とを検出することにより、上下方向におけるスマートフォン２と表示装置１との相対的な位置を特定することができる。
【００２５】
ユーザ特定部１６は、アンテナ１１ａ、１１ｂが受信した受信信号の送信元であるスマートフォン２のユーザを特定するためのユーザ特定手段である。本実施形態においては、ユーザ特定部１６は、受信信号解析部１２から供給されたユーザ情報を参照することにより、スマートフォン２のユーザを特定する。ユーザ特定部１６は、受信信号解析部１２から供給されたユーザ設定情報が、ユーザ特定部１６により特定されたユーザに対応するユーザ設定情報であるか否かを判定する。受信信号解析部１２から供給されたユーザ設定情報が、ユーザ特定部１６により特定されたユーザに対応すると判定された場合には、ユーザ特定部１６は、ユーザ設定情報を表示制御部１４に供給する。なお、本実施形態においては、ユーザ設定情報は、スマートフォン２から供給される構成を採用しているが、本発明はこれに限定されるものではない。例えば、表示装置１は、ユーザごとに予め設定されている複数のユーザ設定情報を、図示しないメモリに予め格納している構成としてもよい。上記の場合には、ユーザ特定部１６は、図示しないメモリを参照することにより、スマートフォン２から供給されたユーザ情報に対応するユーザのユーザ設定情報を取得する構成とすればよい。
【００２６】
表示制御部１４は、位置特定部１３により特定された位置に基づいて、スマートフォン２に関連付けられた画像の表示位置を決定するための表示位置決定手段である。ここで、「画像の表示位置」とは、表示部１７において当該画像が表示される位置を示すものであり、例えば、当該画像の中心、または四隅のうち何れか一点の位置を示す座標値により表すことができる。表示位置を表す座標値としては、表示部１７の中心、または四隅のうち何れか一点を原点として、表示部１７の表示面に沿って互いに直交するｘ軸及びｙ軸を定義し、ｘｙ平面上の座標値を用いればよい。以下の説明においては、表示部１７の表示面に向かって左上隅の点を原点として、表示面に沿って右方向（表示面に向かって右方向）を正方向とするｘ軸と、表示面に沿って下方向（表示面に向かって下方向）を正方向とするｙ軸とにより定義されるｘｙ平面を用いるものとする。また、画像の表示位置を表す座標は、当該画像に向かって左上隅（画像に向かって左上）の位置を表すものとする。
【００２７】
本実施形態において、表示制御部１４は、受信信号解析部１２から供給された画像信号に基づいて、スマートフォン２に関連付けられた画像を生成する。表示制御部１４は、スマートフォン２に関連付けられた画像の表示位置を、位置特定部１３により特定された位置に基づいて決定する。また、複数のスマートフォンから画像信号が供給された場合には、表示制御部１４は、各々のスマートフォンに関連付けられた画像を、各々の画像信号に基づいて、それぞれ生成する。表示制御部１４は、位置特定部１３により特定された各々のスマートフォンの位置に基づいて、各々のスマートフォンに関連付けられた画像の表示位置をそれぞれ決定する。表示制御部１４は、表示位置を決定した各々の画像を統合し、図３または図４に示すような多画面表示用の画像を生成する。
【００２８】
例えば、図３に示す例においては、表示制御部１４は、スマートフォン２に関連付けられた画像の表示位置を、図３に示す画面ｂの位置に決定する。また、図４に示す例においては、表示制御部１４は、スマートフォン２に関連付けられた画像の表示位置を、図４に示す副画面のうち、副画面ａ〜ｃの何れかの位置に決定する。
【００２９】
なお、本実施形態においては、画像の表示位置を、位置特定部１３が特定した位置に近い側に決定する構成としているが、これは本発明を限定するものではなく、画像の表示位置を、位置特定部１３が特定した位置よりも遠い側に決定する構成としてもよい。また、図３及び図４に示すような複数の画像の各々の表示位置を、互いに入れ替えるように決定するだけでなく、例えば、図３に示す例において、画面ｂの表示位置を、表示面の上下辺に対して垂直な方向に移動させるように表示位置を決定する構成としてもよい。
【００３０】
また、表示制御部１４は、ユーザ設定情報に基づいて、表示部１７に表示する各画像の画質を調整するための画質調整手段である。本実施形態において、表示制御部１４は、ユーザ特定部１６から供給されたユーザ設定情報に基づき、スマートフォン２から送信された画像信号の示す画像の画質を調整する。なお、本実施形態において表示制御部１４が調整する画質には、例えば、画像の輝度、コントラスト、及び、シャープネスなどが含まれるが、これは本発明を限定するものではない。
【００３１】
表示制御部１４は、上述の手順により表示位置を決定するとともに、スマートフォン２に関連付けられた画像を、決定された表示位置に表示するように制御する表示制御手段である。具体的には、表示制御部１４は、画質を調整した画像を表示部１７に供給する。表示部１７は、表示制御部１４から供給された画像を表示する。
【００３２】
（表示画面の遷移）
表示装置１が表示する表示画面の遷移の一例について図１２〜１４を参照して以下に説明する。
【００３３】
図１２は、表示装置１が表示する画面の遷移の一例を示す図である。図１２の（ａ）は、表示装置１が表示する画面の一例を示しており、表示装置１には、画面ａのみが表示されている。表示装置１が図１２の（ａ）に示す画面ａのみを表示している状態において、スマートフォン２から送信された画像（画面ｂ）をさらに表示する場合、表示装置１が表示する画面は、図１２の（ｂ）に示す画面に遷移する。具体的には、表示制御部１４は、複数の画像のうち、スマートフォン２に関連付けられた画像以外の画像の表示位置または表示サイズの少なくとも何れかを、スマートフォン２に関連付けられた画像の表示位置に応じて決定する。図１２に示す例において、表示制御部１４は、図１２の（ａ）における画面ａの画像サイズを、縮小することにより、画面ｂを表示するスペースを確保する。表示制御部１４は、確保したスペースに、画面ｂを配置した画像を生成し、生成した画像を表示部１７に供給する。表示部１７は、図１２の（ｂ）に示す画像を表示する。
【００３４】
ここで、画像の表示位置を表す座標として、当該画像に向かって左上隅（画像に向かって左上）の座標を用いているため、図１２に示す画面の遷移において表示制御部１４が行う処理は、画面ａの表示位置、または表示サイズのうち、表示サイズのみを変更する処理に相当する。画像の表示位置を表す座標として、当該画像中心部の座標を用いる場合には、図１２に示す画面の遷移において表示制御部１４が行う処理は、画面ａの表示位置、および表示サイズの両方を変更する処理に相当する。
【００３５】
図１３は、表示装置１が表示する画面の遷移の他の一例を示す図である。図１３の（ａ）は、表示装置１が表示する画面の一例を示しており、表示装置１には、画面ａのみが表示されている。表示装置１が図１３の（ａ）に示す画面ａのみを表示している状態において、スマートフォン２から送信された画像（画面ｂ）をさらに表示する場合、表示装置１が表示する画面は、図１３の（ｂ）に示す画面に遷移する。具体的には、表示制御部１４は、既に表示されている画面ａに重畳するように、画面ｂを配置した画像を生成し、生成した画像を表示部１７に供給する。表示部１７は、図１３の（ｂ）に示す画像を表示する。
【００３６】
図１４は、表示装置１が表示する画面の遷移の一例を示す図である。図１４の（ａ）は、表示装置が表示する画面の一例を示しており、表示装置１には、画面ａのみが表示されている。表示装置１が図１３の（ａ）に示す画面ａのみを表示している状態において、画面ａと、スマートフォン２とが関連付けられている場合、表示装置１が表示する画面は、図１４の（ｂ）に示す画面に遷移する。図１４に示す例においては、画面ａには、例えば、放送信号の示すコンテンツ、またはコンテンツ再生機器から入力されたコンテンツの示す画像が表示されている。
【００３７】
図１４に示す例においては、アンテナ１１ａ、１１ｂが受信する信号には、画面ａに関する操作を行うための操作信号が含まれており、受信信号解析部１２は、操作信号による操作の対象となる画像（画面ａ）と、当該操作信号の送信元であるスマートフォン２とを関連付けて管理する管理手段（第２の管理手段）としても機能するように構成されている。なお、操作信号の一例としては、表示部１７に表示する画像（画面ａに対応）のコンテンツを選択するためのコンテンツ選択情報が含まれた信号が挙げられる。
【００３８】
また、図１４に示す例において、表示制御部１４は、スマートフォン２に関連付けられた画像（画面ａ）の表示位置を、位置特定部１３により特定した相対的な位置に基づいて決定する。表示制御部１４は、表示位置が決定された画像を生成し、生成した画像を表示部１７に供給する。表示部１７は、図１４の（ｂ）に示す画像を表示する。
【００３９】
（複数のユーザが同時に視聴する場合）
以下では、複数のスマートフォン２から表示装置１に画像信号を送信し、複数のユーザがそれぞれの画像信号の示す画像を同時に視聴する場合において、表示制御部１４が行う表示位置の決定手順の一例について、図５を参照しながら説明する。図５は、本実施形態に係る表示装置１が、複数のスマートフォン２ａ〜２ｃから画像信号を受信する場合の各画像の表示位置の決定手順について説明するための概要図である。
【００４０】
図５に示すように、表示装置１は、図４に示す例と同様に主画面と、主画面の周囲に配置された副画面ａ〜ｅを表示している。表示装置１は、スマートフォン２ａ〜２ｃから画像信号をそれぞれ受信する。この際、スマートフォン２ａ〜２ｃから受信する画像信号は、互いに異なる画像を示す画像信号であってもよいし、少なくとも何れかが互いに等しい画像を示す画像信号であってもよい。
【００４１】
上記のように、表示装置１が複数のスマートフォンの各々から画像信号を受信した場合は、受信信号解析部１２は、各々のスマートフォンと、該スマートフォンから受信した画像信号の示す画像とを、それぞれ関連付けて管理する。
【００４２】
図５に示す例においては、受信信号解析部１２は、スマートフォン２ａから受信した受信信号を解析し、受信信号に含まれる画像信号の示す画像と、スマートフォン２ａのＩＤ情報とを関連付けて管理する。また、受信信号解析部１２は、スマートフォン２ｂから受信した受信信号を解析し、受信信号に含まれる画像信号の示す画像と、スマートフォン２ｂのＩＤ情報とを関連付けて管理する。また、受信信号解析部１２は、スマートフォン２ｃから受信した受信信号を解析し、受信信号に含まれる画像信号の示す画像と、スマートフォン２ｃのＩＤ情報とを関連付けて管理する。
【００４３】
なお、表示装置１が、複数のスマートフォン２ａ〜２ｃから受信した画像信号の示す画像ではなく、放送信号の示すコンテンツ、またはコンテンツ再生機器から入力されたコンテンツの示す画像を多画面表示する場合においても、各々のスマートフォンと、表示部１７に表示する複数の画像とを関連付けることができる。例えば、図５に示す例において、スマートフォン２ａから受信した受信信号に、図５に示す副画面ａに関する操作を行うための操作信号が含まれている場合、受信信号解析部１２は、副画面ａに表示される画像と、スマートフォン２ａのＩＤ情報とを関連付けて管理する。また、図５に示す例において、スマートフォン２ｂから受信した受信信号に、図５に示す主画面に関する操作を行うための操作信号が含まれている場合、受信信号解析部１２は、主画面に表示される画像と、スマートフォン２ｂのＩＤ情報とを関連付けて管理する。また、図５に示す例において、スマートフォン２ｃから受信した受信信号に、図５に示す副画面ｄに関する操作を行うための操作信号が含まれている場合、受信信号解析部１２は、副画面ｄに表示される画像と、スマートフォン２ｃのＩＤ情報とを関連付けて管理する。
【００４４】
受信信号解析部１２は、表示部１７に表示する各々の画像と、スマートフォン２ａ〜２ｃとがそれぞれ関連付けられて管理されていることを示す管理情報を生成し、生成した管理情報を表示制御部１４に供給する。
【００４５】
図５に示す例において、電波強度検出部１５ａがスマートフォン２ａから受信した電波の電波強度は、電波強度検出部１５ｂがスマートフォン２ａから受信した電波の電波強度よりも高い値を示す。したがって、位置特定部１３は、スマートフォン２ａが表示装置１に対して、アンテナ１１ｂに近い側に位置していることを特定することができる。したがって、表示制御部１４は、スマートフォン２ａに関連付けられた画像を、副画面ａ〜ｃのうち、何れかに表示するように表示位置を決定する。
【００４６】
同様にして、位置特定部１３は、スマートフォン２ｂ、２ｃが表示装置１に対して、アンテナ１１ａに近い側に位置していることを特定することができる。このような場合には、位置特定部１３は、以下の手順により、スマートフォン２ｂ、２ｃのどちらがアンテナ１１ａにより近い位置に存在しているかをさらに特定する。位置特定部１３は、電波強度検出部１５ａがスマートフォン２ｂから受信した電波の電波強度と、電波強度検出部１５ｂがスマートフォン２ｂから受信した電波の電波強度との差の絶対値Ｂを求める。さらに、位置特定部１３は、電波強度検出部１５ａがスマートフォン２ｃから受信した電波の電波強度と、電波強度検出部１５ｂがスマートフォン２ｃから受信した電波の電波強度との差の絶対値Ｃを求める。位置特定部１３は、上記手順により求めた絶対値Ｂと、絶対値Ｃとを比較する。ここで、スマートフォン２ｃは、スマートフォン２ｂよりも、アンテナ１１ａに近い側に存在しているので絶対値Ｃは、絶対値Ｂよりも高い値を示す。したがって、位置特定部１３は、スマートフォン２ｃがスマートフォン２ｂよりもアンテナ１１ａに近い位置に存在していることを特定することができる。表示制御部１４は、例えば、スマートフォン２ｂに関連付けられた画像を、副画面ｄに表示し、スマートフォン２ｃに関連付けられた画像を、副画面ｅに表示するように表示位置を決定する。
【００４７】
（表示装置１が行う処理の手順）
以下では、図２を参照しながら、本実施形態に係る表示装置１が行う処理の手順について図２を参照しながら説明する。図２は、本実施形態に係る表示装置１が行う処理の手順について説明するためのフローチャートである。
【００４８】
まず、ステップＳ１１にて、表示装置１は、多画面表示を開始する。多画面表示を開始するトリガとしては、例えば、リモートコントローラを介したユーザによる入力操作であってもよいし、スマートフォン２からの受信信号の受信処理であってもよい。
【００４９】
続いて、ステップＳ１２にて、表示装置１は、アンテナ１１ａ、１１ｂを介してスマートフォン２から信号を受信する。スマートフォン２から信号を受信したアンテナ１１ａ、１１ｂは、受信した受信信号を受信信号解析部１２に供給する。受信信号解析部１２は、受信信号を解析し、受信信号に含まれる画像信号を表示制御部１４に供給する。また、受信信号解析部１２は、受信信号を解析し、受信信号に含まれるＩＤ情報を位置特定部１３に供給する。さらに、受信信号解析部１２は、受信信号を解析し、受信信号に含まれる画像信号の示す画像と、スマートフォン２のＩＤ情報とを関連付けて管理する。受信信号解析部１２は、画像信号の示す画像と、スマートフォン２とが関連付けられて管理されていることを示す管理情報を生成し、生成した管理情報を表示制御部１４に供給する。さらに、受信信号解析部１２は、受信信号を解析し、受信信号に含まれるユーザ情報と、ユーザ設定情報とをユーザ特定部１６に供給する。
【００５０】
続いて、ステップＳ１３にて、位置特定部１３は、受信信号解析部１２から供給されたＩＤ情報を参照することにより、スマートフォン２が、受信信号の送信元であることを特定する。また、位置特定部１３は、電波強度検出部１５ａ、１５ｂが検出した各々の電波強度の差に基づいて、スマートフォン２と表示装置１との相対的な位置を特定する。位置特定部１３は、特定した位置を示す位置情報を生成し、生成した位置情報を表示制御部１４に供給する。
【００５１】
続いて、ステップＳ１４にて、表示制御部１４は、受信信号解析部１２から供給された画像信号に基づいて、表示部１７に表示する画像を生成する。また、表示制御部１４は、スマートフォン２に関連付けられた画像の表示位置を、位置特定部１３から供給された位置情報に基づいて決定する。
【００５２】
続いて、ステップＳ１５にて、ユーザ特定部１６は、受信信号解析部１２から供給されたユーザ情報を参照することにより、スマートフォン２のユーザを特定する。ユーザ特定部１６は、受信信号解析部１２から供給されたユーザ設定情報が、ユーザ特定部１６により特定されたユーザに対応するユーザ設定情報であるか否かを判定する。受信信号解析部１２から供給されたユーザ設定情報が、ユーザ特定部１６により特定されたユーザに対応すると判定された場合には、ユーザ特定部１６は、ユーザ設定情報を表示制御部１４に供給する。
【００５３】
続いて、ステップＳ１６にて、表示制御部１４は、ユーザ特定部１６から供給されたユーザ設定情報に基づき、スマートフォン２から送信された画像信号の示す画像（すなわち、ステップＳ１４にて生成した画像）の画質を調整する。
【００５４】
続いて、ステップＳ１７にて、表示装置１は、多画面表示する複数の画像のうち、全ての画像に対して、表示位置の決定、及び、画質調整が行われたか否かを判定する。全ての画像に対して、表示位置の決定、及び、画質調整が行われたと判定された場合（ステップＳ１７にてＹＥＳ）、表示装置１は処理を終了する。全ての画像に対して、表示位置の決定、及び、画質調整が行われていないと判定された場合（ステップＳ１７にてＮＯ）、表示装置１は、ステップＳ１２の処理に戻り、表示位置の決定、及び、画質調整が行われていない画像に対してＳ１２からＳ１６の処理を繰り返す。
【００５５】
以上の手順により、本実施形態に係る表示装置１は、多画面表示する全ての画像に対して、表示位置の決定、及び、画質調整を好適に行うことができる。なお、図２に示した手順は、表示装置１が行う処理の一例であり、一部の処理の実行順序を入れ替えることも可能である。例えば、画像の表示位置を決定する処理（ステップＳ１３からＳ１４の処理）と、表示する画像の画質を調整する処理（ステップＳ１４からＳ１５の処理）とを入れ替えることも可能である。
【００５６】
（表示装置１の利点）
以上、表示装置１の構成、および、表示装置１が行う処理の手順について説明した。上記の構成により、表示装置１は、人の存在を検知するための検知手段を新たに設けることなく、スマートフォン２に関連付けられた画像の表示位置を好適に決定することができる。また、表示装置１は、スマートフォン２のユーザの好みに応じて、表示する画像の画質を調整することができる。また、表示装置１は、電波強度検出部１５ａ、１５ｂを備えていることにより、表示装置１と、スマートフォン２との相対的な位置を正確に特定することができる。
【００５７】
〔実施形態２〕
以下では、本発明の第２の実施形態について、図６〜図８を参照しながら、説明する。なお、説明の便宜上、実施形態１にて説明した部材と同じ機能を有する部材については、同じ符号を付記し、その説明を省略する。
【００５８】
図６は、本実施形態に係る表示装置１’と、表示装置１’に信号を送信するスマートフォン２’の構成を示すブロック図である。図６に示すように、本実施形態に係る表示装置１’が、実施形態１に係る表示装置１と異なる点は、視線方向特定部１８を備えている点である。また、図６に示すように、本実施形態に係るスマートフォン２’が、実施形態１に係るスマートフォン２と異なる点は、撮像部２３を備えている点である。
【００５９】
スマートフォン２’の撮像部２３は、ユーザの顔画像を撮像する撮像手段である。撮像部２３は、例えば、スマートフォン２’に備えられたインカメラであるが、本発明はこれに限定されるものではない。撮像部２３は、撮像した顔画像を示す顔画像信号を送信信号生成部２１’に供給する。本実施形態において、送信信号生成部２１’が生成する送信信号には、ＩＤ情報、ユーザ設定情報、および、画像信号などに加えて、撮像部２３から供給された顔画像信号が含まれている。
【００６０】
視線方向特定部１８は、スマートフォン２’のユーザの視線方向を特定する視線方向特定手段である。本実施形態においては、視線方向特定部１８は、画像取得部１８ａ、及び、視線方向演算部１８ｂを備えている。画像取得部１８ａは、スマートフォン２’の備える撮像部２３により撮像されたスマートフォン２’のユーザの顔画像を取得するための手段である。視線方向演算部１８ｂは、画像取得部１８ａが取得したユーザの顔画像に基づいて、ユーザの視線方向を特定するための手段である。画像取得部１８ａ、及び、視線方向演算部１８ｂによる視線方向の特定処理の詳細については後述する。
【００６１】
（ユーザの顔画像の撮像）
以下では、撮像部２３がユーザの顔画像を撮像する手順について図８を参照しながら説明する。図８は、本実施形態に係る表示装置１’において、ユーザの視線方向を特定することにより、スマートフォン２’と表示装置１’との相対的な位置を特定し、スマートフォン２に関連付けられた画像の表示位置を、特定した位置に基づいて決定する手順の一例を示す概要図である。
【００６２】
撮像部２３は、スマートフォン２’の表示部を見ている時のユーザの顔画像（以下では、顔画像Ａとも呼ぶ）を撮像する。図８に示す例においては、ユーザがスマートフォン２’の表示部を見ている時の視線方向は、一点鎖線の矢印Ａで示した方向に一致する。続いて、撮像部２３は、表示装置１’の表示部１７を見ている時のユーザの顔画像（以下では、顔画像Ｂとも呼ぶ）を撮像する。図８に示す例においては、ユーザが表示装置１’の表示部１７を見ている時の視線方向は、一点鎖線の矢印Ｂで示した方向に一致する。
【００６３】
なお、撮像部２３が撮像するユーザの顔画像は、ユーザの視線方向を特定するために必要である該ユーザの目の周辺のみの画像であればよいが、本発明はこれに限定されるものではない。例えば、撮像部２３が撮像するユーザの顔画像は、該ユーザの顔の全体を含む画像であってもよい。また、撮像部２３は、該ユーザの顔の全体を撮像した後に、該ユーザの目の周辺以外をトリミングした画像を生成する構成としてもよい。
【００６４】
なお、スマートフォン２’は、ユーザの顔画像の撮像に先立って、ユーザに対して、スマートフォン２の表示部を見た後に、表示装置１’の表示部１７を見るように促すことが好ましい。また、例えば、該ユーザが移動中であったり、寝転びながら表示装置１’を視聴していたりする場合には、ユーザの視線方向に基づいて、スマートフォン２’と表示装置１’との相対的な位置を正確に特定することが困難になる場合が生じ得る。そのため、スマートフォン２は、ユーザの顔画像の撮像の開始に先立って、ユーザに対して予め定められた基準となる姿勢を取るように促すことが好ましい。基準となる姿勢としては、例えば、ユーザの現在地において、体の正面方向を表示装置１’と正対するように向け、スマートフォン２’を体の正面で持つような姿勢が挙げられる。上記の場合には、スマートフォン２’は、ユーザに対して基準となる姿勢について説明するための音声を出力したり、文章、静止画像、または、動画像を表示部に表示したりすることが好ましい。
【００６５】
撮像部２３は、撮像された２枚の顔画像Ａ、Ｂを示す顔画像信号は、送信信号生成部２１’に供給する。送信信号生成部２１’は、ＩＤ情報、ユーザ設定情報、および、画像信号などに加えて、撮像部２３から供給された顔画像信号を含む信号を送信信号として生成する。送信信号生成部２１’により生成された送信信号は、アンテナ２２を介して表示装置１’に送信される。
【００６６】
（視線方向に基づいた相対的な位置の特定）
本実施形態に係る受信信号解析部１２’は、実施形態１に係る受信信号解析部１２が行う処理に加えて、アンテナ１１ａ、１１ｂを介して受信した受信信号を解析し、受信信号に含まれる２枚の顔画像Ａ、Ｂを示す顔画像信号を画像取得部１８ａに供給する。画像取得部１８ａは、受信信号解析部１２’から供給された２枚の顔画像Ａ、Ｂを示す顔画像信号に基づいて、顔画像Ａ、Ｂを生成する。生成した顔画像Ａ、Ｂが、ユーザの顔の全体を含む画像である場合には、画像取得部１８ａは、生成した顔画像Ａ、Ｂからユーザの目の周辺の画像を抽出し、抽出画像Ａ’、Ｂ’を生成する。画像取得部１８ａは、生成した顔画像Ａ、Ｂ（または抽出画像Ａ’、Ｂ’）を視線方向演算部１８ｂに供給する。
【００６７】
視線方向演算部１８ｂは、画像取得部１８ａから供給された顔画像Ａ、Ｂに基づいて、ユーザの視線方向をそれぞれ特定する。具体的には、視線方向演算部１８ｂは、顔画像Ａにおけるユーザの目の周辺の画像から、目の部分の黒目と白目との位置関係に基づいて、ユーザの視線方向Ａ（図８における一点鎖線の矢印Ａ）を特定する。同様に、視線方向演算部１８ｂは、顔画像Ｂにおけるユーザの目の周辺の画像から、目の部分の黒目と白目との位置関係に基づいて、ユーザの視線方向Ｂ（図８における一点鎖線の矢印Ｂ）を特定する。図８に示すように視線方向演算部１８ｂは、特定したユーザの視線方向Ａと、視線方向Ｂとのなす角度θ１を算出する。視線方向演算部１８ｂは、算出したθ１を含む角度データを生成し、生成した角度データを位置特定部１３に供給する。
【００６８】
本実施形態に係る位置特定部１３’は、実施形態１に係る位置特定部１３とは異なり、視線方向演算部１８ｂから供給された角度データに基づいて、スマートフォン２’と表示装置１’との相対的な位置を特定する。例えば、ユーザの視線方向Ａを基準とした時計回りの回転方向を正の回転方向とすると、図８に示す例においてθ１は負の値を示す。したがって、位置特定部１３’は、θ１の符号の正負に基づいて、スマートフォン２’と表示装置１’との相対的な位置を特定することができる。位置特定部１３’は、特定した位置を示す位置情報を生成し、生成した位置情報を表示制御部１４に供給する。
【００６９】
なお、本実施形態において、上記の視線方向に基づいた相対的な位置の特定処理は、スマートフォン２’が行う構成としてもよい。上記の場合には、スマートフォン２’は、視線方向特定部１８と、位置特定部１３’とにそれぞれ対応する構成を備え、特定した位置を示す位置情報を、アンテナ２２を介して表示装置１’に送信する構成とすればよい。また、受信信号解析部１２’は、受信信号を解析して、解析した受信信号に含まれる位置情報を表示制御部１４に供給する構成とすればよい。
【００７０】
また、視線方向特定部１８が行う視線方向の特定処理としては、公知技術（例えば、特開２０１２−１２３５１３号公報、特開平１０−９１３２５号公報、特開２０１１−８１８０７号公報に記載の技術）を用いてもよい。
【００７１】
（表示装置１’が行う処理の手順）
以下では、本実施形態に係る表示装置１’が行う処理の手順について図７を参照しながら説明する。図７は、本実施形態に係る表示装置１’が行う処理の手順について説明するためのフローチャートである。
【００７２】
まず、ステップＳ２１にて、表示装置１’は、多画面表示を開始する。多画面表示を開始するトリガとしては、例えば、リモートコントローラを介したユーザによる入力操作であってもよいし、スマートフォン２’からの受信信号の受信処理であってもよい。
【００７３】
続いて、ステップＳ２２にて、表示装置１はアンテナ１１ａ、１１ｂを介してスマートフォン２’から信号を受信する。スマートフォン２’から信号を受信したアンテナ１１ａ、１１ｂは、受信した受信信号を、受信信号解析部１２’に供給する。受信信号解析部１２’は、受信信号を解析し、受信信号に含まれる画像信号を表示制御部１４に供給する。また、受信信号解析部１２’は、受信信号を解析し、受信信号に含まれるＩＤ情報を位置特定部１３’に供給する。また、受信信号解析部１２’は、受信信号を解析し、受信信号に含まれる画像信号の示す画像と、スマートフォン２’のＩＤ情報とを関連付けて管理する。受信信号解析部１２’は、画像信号の示す画像と、スマートフォン２’とが関連付けられて管理されていることを示す管理情報を生成し、生成した管理情報を表示制御部１４に供給する。また、受信信号解析部１２’は、受信信号を解析し、受信信号に含まれるＩＤ情報に予め関連付けられたユーザ情報と、ユーザごとに予め定められた画質調整の設定値を示すユーザ設定情報とをユーザ特定部１６に供給する。さらに、受信信号解析部１２’は、アンテナ１１ａ、１１ｂを介して、スマートフォン２の撮像部２３が撮像した顔画像Ａ、Ｂを示す画像信号を画像取得部１８ａに供給する。
【００７４】
続いて、ステップＳ２３にて、画像取得部１８ａは、受信信号解析部１２’から供給された２枚の顔画像Ａ、Ｂを示す顔画像信号に基づいて、顔画像Ａ、Ｂを生成する。生成した顔画像Ａ、Ｂが、ユーザの顔の全体を含む画像である場合には、画像取得部１８ａは、生成した顔画像Ａ、Ｂからユーザの目の周辺の画像を抽出し、抽出画像Ａ’、Ｂ’を生成する。画像取得部１８ａは、生成した顔画像Ａ、Ｂ（または抽出画像Ａ’、Ｂ’）を視線方向演算部１８ｂに供給する。視線方向演算部１８ｂは、顔画像Ａにおけるユーザの目の周辺の画像から、目の部分の黒目と白目との位置関係に基づいて、ユーザの視線方向Ａ（図８における一点鎖線の矢印Ａ）を特定する。同様に、視線方向演算部１８ｂは、顔画像Ｂにおけるユーザの目の周辺の画像から、目の部分の黒目と白目との位置関係に基づいて、ユーザの視線方向Ｂ（図８における一点鎖線の矢印Ｂ）を特定する。図８に示すように視線方向演算部１８ｂは、特定したユーザの視線方向Ａと、視線方向Ｂとのなす角度θ１を算出する。視線方向演算部１８ｂは、算出したθ１を含む角度データを生成し、生成した角度データを位置特定部１３’に供給する。
【００７５】
続いて、ステップＳ２４にて、位置特定部１３’は、受信信号解析部１２’から供給されたＩＤ情報を参照することにより、スマートフォン２’が受信信号の送信元であることを特定する。また、位置特定部１３’は、視線方向演算部１８ｂから供給された角度データに基づいて、スマートフォン２’と表示装置１’との相対的な位置を特定する。位置特定部１３’は、特定した位置を示す位置情報を生成し、生成した位置情報を表示制御部１４に供給する。
【００７６】
続いて、ステップＳ２５にて、表示制御部１４は、受信信号解析部１２’から供給された画像信号に基づいて、表示部１７に表示する画像を生成する。また、表示制御部１４は、スマートフォン２に関連付けられた画像の表示位置を、位置特定部１３’から供給された位置情報に基づいて決定する。
【００７７】
続いて、ステップＳ２６にて、ユーザ特定部１６は、受信信号解析部１２’から供給されたユーザ情報を参照することにより、スマートフォン２’のユーザを特定する。ユーザ特定部１６は、受信信号解析部１２’から供給されたユーザ設定情報が、ユーザ特定部１６により特定されたユーザに対応するユーザ設定情報であるか否かを判定する。受信信号解析部１２’から供給されたユーザ設定情報が、ユーザ特定部１６により特定されたユーザに対応すると判定された場合には、ユーザ特定部１６は、ユーザ設定情報を表示制御部１４に供給する。
【００７８】
続いて、ステップＳ２７にて、表示制御部１４は、ユーザ特定部１６から供給されたユーザ設定情報に基づき、スマートフォン２’から送信された画像信号の示す画像（すなわち、ステップＳ２５にて生成した画像）の画質を調整する。
【００７９】
続いて、ステップＳ２８にて、表示装置１’は、多画面表示する複数の画像のうち、全ての画像に対して、表示位置の決定、及び、画質調整が行われたか否かを判定する。全ての画像に対して、表示位置の決定、及び、画質調整が行われたと判定された場合（ステップＳ２８にてＹＥＳ）、表示装置１’は処理を終了する。全ての画像に対して、表示位置の決定、及び、画質調整が行われていないと判定された場合（ステップＳ２８にてＮＯ）、表示装置１’は、ステップＳ２２の処理に戻り、表示位置の決定、及び、画質調整が行われていない画像に対してＳ２２からＳ２７の処理を繰り返す。
【００８０】
以上の手順により、本実施形態に係る表示装置１’は、多画面表示する全ての画像に対して、表示位置の決定、及び、画質調整を好適に行うことができる。なお、図７に示した手順は、本実施形態に係る表示装置１’が行う処理の一例であり、一部の処理の実行順序を入れ替えることも可能である。例えば、画像の表示位置を決定する処理（ステップＳ２３からＳ２５の処理）と、表示する画像の画質を調整する処理（ステップＳ２６からＳ２７の処理）とを入れ替えることも可能である。
【００８１】
（変形例１）
本実施形態に係る表示装置１の変形例を以下に説明する。
【００８２】
本変形例に係る表示装置１’は、実施形態１にて説明した電波強度検出部１５ａ、１５ｂを備えている。また、本変形例に係る表示装置１’は、位置特定部１３’に代えて、実施形態１に示した位置特定部１３を備えている。位置特定部１３は、実施形態に１に示したように、電波強度検出部１５ａ、１５ｂが検出する電波強度の差に基づいてスマートフォン２’と表示装置１’との相対的な位置を特定する。
【００８３】
本変形例に係る視線方向特定部１８は、ユーザの視線方向が、図３に示す例におけるアンテナ１１ａに近い側であるか、アンテナ１１ｂに近い側であるかを特定する。本変形例に係る受信信号解析部１２’は、アンテナ１１ａ、１１ｂを介してスマートフォン２’から受信した、スマートフォン２’のユーザが表示装置１’を見ている時の顔画像Ｂを示す画像信号を画像取得部１８ａに供給する。本変形例に係る画像取得部１８ａは、受信信号解析部１２’から供給された顔画像Ｂを示す画像信号に基づいて、顔画像Ｂを生成する。本変形例に係る画像取得部１８ａは、生成した顔画像Ｂを視線方向演算部１８ｂに供給する。本変形例に係る視線方向演算部１８ｂは、画像取得部１８ａから供給されたユーザの顔画像Ｂに基づいて、ユーザの視線方向を示す視線方向データを生成し、生成した視線方向データを表示制御部１４に供給する。
【００８４】
本変形例に係る表示制御部１４は、位置特定部１３’により特定された相対的な位置と、視線方向特定部１８により特定された視線方向とが異なる場合、視線方向特定部１８により特定された視線方向に基づいて、スマートフォン２’から送信された画像信号の示す画像の表示位置を決定する。例えば、図３に示す例において、位置特定部１３’が特定したスマートフォン２’と表示装置１’との相対的な位置は、アンテナ１１ｂに近い側である。ここで、視線方向特定部１８により特定されたユーザの視線方向が、アンテナ１１ａに近い側を示している場合には、スマートフォン２’から送信された画像信号の示す画像を画面ａに表示するように表示位置を決定する。
【００８５】
上記の構成により、本変形例に係る表示装置１’は、ユーザの視線方向に基づいて、表示する画像の表示位置を決定することができるので、ユーザにとって違和感の少ない画面表示を実現することができる。
【００８６】
〔実施形態３〕
以下では、本発明の第３の実施形態について、説明する。なお、説明の便宜上、実施形態１、２にて説明した部材と同じ機能を有する部材については、同じ符号を付記し、その説明を省略する。
【００８７】
本実施形態においては、アンテナ１１ａ、１１ｂがアンテナ２２を介して受信する受信信号には、表示部１７に表示する画像のコンテンツを選択するためのコンテンツ選択情報がさらに含まれている場合について説明する。したがって、本実施形態においては、実施形態１に係る表示装置１または実施形態２に係る表示装置１’の何れかを用いることが可能であるが、以下では、実施形態１に係る表示装置１を用いる場合について説明する。
【００８８】
本実施形態において、コンテンツ選択情報としては、例えば、表示装置１が受信した放送信号に基づいて放送信号の示すコンテンツを表示する場合におけるチャンネル選択を示す情報、及び、表示装置１に内蔵された記憶装置、または、外部機器に格納されている何れかのコンテンツの再生を示す情報などが挙げられる。
【００８９】
本実施形態に係る受信信号解析部１２は、実施形態１に係る受信信号解析部１２が行う処理に加えて、アンテナ１１ａ、１１ｂを介して受信した受信信号を解析し、受信信号に含まれるコンテンツ選択情報を、表示制御部１４に供給する。
【００９０】
また、受信信号解析部１２は、コンテンツ選択情報による選択の対象となる画像と、当該コンテンツ選択情報の送信元であるスマートフォン２とを関連付けて管理する。受信信号解析部１２は、画像信号の示す画像と、スマートフォン２とが関連付けられて管理されていることを示す管理情報を生成し、生成した管理情報を表示制御部１４に供給する。
【００９１】
本実施形態に係る表示制御部１４は、実施形態１に係る表示制御部１４とは異なり、供給されたコンテンツ選択情報に基づいて、該コンテンツ選択情報の示すコンテンツの画像を生成する。表示制御部１４は、生成した画像の表示位置を、位置特定部１３から供給された位置情報に基づいて決定する。表示制御部１４は、ユーザ特定部１６から供給されたユーザ設定情報に基づき、該コンテンツ選択情報の示すコンテンツの画像の画質を調整する。
【００９２】
表示制御部１４は、上述の手順により表示位置を決定するとともに、画質を調整した画像を表示部１７に供給する。表示部１７は、表示制御部１４から供給された画像を表示する。
【００９３】
上記の構成によれば、本実施形態に係る表示装置１は、スマートフォン２のユーザが所望する画像の表示位置を、より好適に設定することができる。
【００９４】
〔実施形態４〕
以下では、本発明の第４の実施形態について、図９〜図１１を参照しながら説明する。なお、説明の便宜上、実施形態１〜３にて説明した部材と同じ機能を有する部材については、同じ符号を付記し、その説明を省略する。
【００９５】
図９は、本実施形態に係る表示装置１”と、表示装置１”に信号を送信するスマートフォン２’の構成を示すブロック図である。図９に示すように、本実施形態に係る表示装置１”は、複数の音声出力手段であるスピーカ１０ａ、１０ｂと、出力する音声の音量及び音質を制御する音声制御部１９をさらに備えている。
【００９６】
また、本実施形態において、表示装置１”は、電波強度検出部１５ａ、１５ｂ、視線方向特定部１８、及び、位置特定部１３”を備えている。したがって、本実施形態に係る位置特定部１３”は、実施形態１に係る位置特定部１３、または、実施形態２に係る位置特定部１３’の何れかと同様の手順を選択することにより、スマートフォン２’と表示装置１”と相対的な位置を特定し、特定した位置を示す位置情報を生成する。位置特定部１３”は、さらに、生成した位置情報を音声制御部１９に供給する。
【００９７】
本実施形態において、アンテナ１１ａ、１１ｂがアンテナ２２を介してスマートフォン２から受信する受信信号には、ユーザごとに予め定められた音量及び音質の設定値を示す音声設定情報と、表示部１７に表示する画像に対応した音声信号とがさらに含まれている。したがって、本実施形態に係る受信信号解析部１２”は、実施形態１に係る受信信号解析部１２、または、実施形態２に係る受信信号解析部１２’が行う処理に加えて、受信信号を解析し、受信信号に含まれる音声信号を音声制御部１９に供給する。さらに、受信信号解析部１２”は、受信信号を解析し、受信信号に含まれる、音声設定情報をユーザ特定部１６’に供給する。
【００９８】
本実施形態に係るユーザ特定部１６’は、実施形態１または２に係るユーザ特定部１６が行う処理に加えて、受信信号解析部１２”から供給された音声設定情報が、ユーザ特定部１６’により特定されたユーザに対応する音声設定情報であるか否かを判定する。受信信号解析部１２”から供給された音声設定情報が、ユーザ特定部１６’により特定されたユーザに対応すると判定された場合には、ユーザ特定部１６’は、音声設定情報を音声制御部１９に供給する。なお、本実施形態においては、音声設定情報は、スマートフォン２’から供給される構成を採用しているが、本発明はこれに限定されるものではない。例えば、表示装置１は、ユーザごとに予め設定されている複数の音声設定情報を、図示しないメモリに予め格納している構成としてもよい。上記の場合には、ユーザ特定部１６’は、図示しないメモリを参照することにより、スマートフォン２’から供給されたユーザ情報に対応するユーザの音声設定情報を取得する構成とすればよい。
【００９９】
音声制御部１９は、スマートフォン２’に関連付けられた画像に対応した音声の音量及び音質を、ユーザ特定部１６’が特定したユーザに対して予め定められた音声設定情報と、位置特定部１３”が特定した位置とに基づいて制御するための音声調整手段である。以下では、図１１を参照しながら、音声制御部１９の行う処理について説明する。図１１は、本実施形態に係る表示装置１”において、電波強度を検出することにより、スマートフォン２’の位置を特定し、スマートフォン２’に関連付けられた画像の表示位置を、特定した位置に基づいて決定するとともに、該画像に対応する音声の音量または音質の少なくとも何れかを調整する手順の一例を示す概要図である。
【０１００】
本実施形態において、音声制御部１９は、スマートフォン２’に関連付けられた画像に対応する音声を、受信信号解析部１２”から供給された音声信号に基づいて生成する。また、複数のスマートフォンから音声信号が供給された場合には、音声制御部１９は、各々のスマートフォンに関連付けられた画像に対応する音声を、各々の音声信号に基づいて、それぞれ生成する。
【０１０１】
図１１に示す例においては、表示制御部１４は、スマートフォン２’に関連付けられた画像の表示位置を図１１に示す画面ｂの位置に決定する。
【０１０２】
したがって、音声制御部１９は、スマートフォン２’に関連付けられた画像に対応する音声の音量または音質の少なくとも何れかを、ユーザ特定部１６から供給された音声設定情報に基づいて調整する。例えば、図１１に示す例においては、スマートフォン２’は、表示装置１”のアンテナ１１ｂに近い側に存在しているため、音声制御部１９は、アンテナ１１ｂの近くに設けられているスピーカ１０ｂから出力する音声の音量が、スピーカ１０ａから出力する音声の音量よりも大きくなるように制御する。また、図１１に示す例において、音声制御部１９は、スピーカ１０ａから出力する音声の音量をゼロにする、すなわち、音声を出力しないように制御してもよい。上記のような場合、音声制御部１９が行う制御は、音声の出力先を複数の出力手段のうち、何れかに切り替える制御に対応する。なお、本実施形態において音声制御部１９が制御する音質の調整値としては、例えば、音声の低周波域の強調、高周波域の強調などが含まれるが、これは本発明を限定するものではない。
【０１０３】
（複数のユーザが同時に視聴する場合）
また、複数のスマートフォン２から表示装置１”に画像信号を送信し、複数のユーザがそれぞれの画像信号の示す画像を同時に視聴する場合について説明する。上記の場合、音声制御部１９は、各画像に対応した音声の各々について、スピーカ１０ａから出力する音声の音量と、スピーカ１０ｂから出力する音声の音量とを個別に制御する。例えば、音声制御部１９は、最もアンテナ１１ｂに近い側に存在するスマートフォン２ａに関連付けられた画像に対応する音声を、スピーカ１０ｂのみから出力するように音量を制御する。同様に、音声制御部１９は、最もアンテナ１１ａに近い側に存在するスマートフォン２ｃに関連付けられた画像に対応する音声を、スピーカ１０ａのみから出力するように音量を制御する。さらに、音声制御部１９は、スマートフォン２ａとスマートフォン２ｃとの間に位置するスマートフォン２ｂに関連付けられた画像に対応する音声を、スピーカ１０ａ、１０ｂから出力するように音量を制御すればよい。
【０１０４】
なお、本実施形態においても、画像の表示位置を、位置特定部１３”が特定した位置に近い側に決定する構成としているが、これは本発明を限定するものではなく、画像の表示位置を、位置特定部１３”が特定した位置よりも遠い側に決定する構成としてもよい。また、図１１に示すような複数の画像の各々の表示位置を、互いに入れ替えるように決定するだけでなく、例えば、図１１に示す例において、画面ｂの表示位置を図１１における上下方向に移動させるように表示位置を決定する構成としてもよい。
【０１０５】
（表示装置１”が行う処理の手順）
以下では、本実施形態に係る表示装置１”が行う処理の手順について図１０を参照しながら説明する。図１０は、本実施形態に係る表示装置１”が行う処理の手順について説明するためのフローチャートである。
【０１０６】
まず、ステップＳ３１にて、表示装置１”は、多画面表示を開始する。多画面表示を開始するトリガとしては、例えば、リモートコントローラを介したユーザによる入力操作であってもよいし、スマートフォン２’からの受信信号の受信処理であってもよい。
【０１０７】
続いて、ステップＳ３２にて、表示装置１”はアンテナ１１ａ、１１ｂを介してスマートフォン２’から信号を受信する。スマートフォン２から信号を受信したアンテナ１１ａ、１１ｂは、受信した受信信号を、受信信号解析部１２”に供給する。受信信号解析部１２”は、受信信号を解析し、受信信号に含まれる画像信号を表示制御部１４に供給する。また、受信信号解析部１２”は、受信信号を解析し、受信信号に含まれる音声信号を音声制御部１９に供給する。また、受信信号解析部１２”は、受信信号を解析し、受信信号に含まれるＩＤ情報を位置特定部１３に供給する。さらに、受信信号解析部１２”は、受信信号を解析し、受信信号に含まれる画像信号の示す画像と、スマートフォン２のＩＤ情報とを関連付けて管理する。受信信号解析部１２”は、画像信号の示す画像と、スマートフォン２とが関連付けられて管理されていることを示す管理情報を生成し、生成した管理情報を表示制御部１４に供給する。さらに、受信信号解析部１２”は、受信信号を解析し、受信信号に含まれるユーザ情報と、ユーザ設定情報と、音声設定情報とをユーザ特定部１６に供給する。
【０１０８】
続いて、ステップＳ３３にて、位置特定部１３”は、受信信号解析部１２”から供給されたＩＤ情報を参照することにより、スマートフォン２が、受信信号の送信元であることを特定する。また、位置特定部１３”は、電波強度検出部１５ａ、１５ｂが検出した各々の電波強度の差に基づいて、スマートフォン２’と表示装置１”との相対的な位置を特定する。位置特定部１３”は、特定した位置を示す位置情報を表示制御部１４及び音声制御部１９に供給する。
【０１０９】
続いて、ステップＳ３４にて、表示制御部１４は、受信信号解析部１２”から供給された画像信号に基づいて、表示部１７に表示する画像を生成する。また、表示制御部１４は、スマートフォン２’に関連付けられた画像の表示位置を、位置特定部１３”から供給された位置情報に基づいて決定する。
【０１１０】
続いて、ステップＳ３５にて、ユーザ特定部１６’は、受信信号解析部１２”から供給されたユーザ情報を参照することにより、スマートフォン２のユーザを特定する。ユーザ特定部１６’は、受信信号解析部１２”から供給されたユーザ設定情報が、ユーザ特定部１６’により特定されたユーザに対応するユーザ設定情報であるか否かを判定する。受信信号解析部１２”から供給されたユーザ設定情報が、ユーザ特定部１６’により特定されたユーザに対応すると判定された場合には、ユーザ特定部１６’は、ユーザ設定情報を表示制御部１４及び音声制御部１９に供給する。
【０１１１】
続いて、ステップＳ３６にて、表示制御部１４は、ユーザ特定部１６’から供給されたユーザ設定情報に基づき、スマートフォン２’から送信された画像信号の示す画像（すなわち、ステップＳ３４にて生成した画像）の画質を調整する。
【０１１２】
続いて、ステップＳ３７にて、音声制御部１９は、スマートフォン２’から送信された画像信号の示す画像に対応する音声の音量または音質を、ユーザ特定部１６’から供給された音声設定情報に基づいて調整する。
【０１１３】
続いて、ステップＳ３８にて、表示装置１”は、多画面表示する複数の画像のうち、全ての画像に対して、表示位置の決定、及び、画質調整が行われたか否かを判定する。全ての画像に対して、表示位置の決定、及び、画質調整が行われたと判定された場合（ステップＳ３８にてＹＥＳ）、表示装置１”は処理を終了する。全ての画像に対して、表示位置の決定、及び、画質調整が行われていないと判定された場合（ステップＳ３８にてＮＯ）、表示装置１は、ステップＳ３２の処理に戻り、表示位置の決定、及び、画質調整が行われていない画像に対してＳ３２からＳ３７の処理を繰り返す。
【０１１４】
以上の手順により、本実施形態に係る表示装置１”は、多画面表示する全ての画像に対して、表示位置の決定、画質調整、及び、音声の調整を好適に行うことができる。なお、図１０に示した手順は、本実施形態に係る表示装置１が行う処理の一例であり、一部の処理の実行順序を入れ替えることも可能である。例えば、画像の表示位置を決定する処理（ステップＳ３３からＳ３４の処理）と、表示する画像の画質を調整する処理（ステップＳ３５からＳ３６の処理）とを入れ替えることも可能である。
【０１１５】
（変形例２）
本実施形態に係る表示装置１”の変形例を以下に説明する。
【０１１６】
本変形例に係る表示装置１”は、実施形態２の変形例に示したような、ユーザの視線方向に基づいて表示する画像の表示位置を決定する場合において、表示する画像に対応する音声の音量、または音質を調整する。
【０１１７】
本変形例に係る表示制御部１４は、位置特定部１３”により特定された相対的な位置と、視線方向特定部１８により特定された視線方向とが異なる場合、スマートフォン２’に関連付けられた画像の表示位置を、視線方向特定部１８により特定された視線方向に基づいて決定する。例えば、図３に示す例において、位置特定部１３”が特定したスマートフォン２’と表示装置１”との相対的な位置は、アンテナ１１ｂに近い側である。ここで、視線方向特定部１８により特定されたユーザの視線方向が、アンテナ１１ａに近い側を示している場合には、スマートフォン２’に関連付けられた画像の表示位置を、図３に示す画面ａの位置に決定する。
【０１１８】
上記の場合、位置特定部１３”により特定された位置は、アンテナ１１ｂに近い側である。したがって、本変形例に係る音声制御部１９は、アンテナ１１ｂに近い側に設けられているスピーカ１０ｂから出力する音声の音量を大きくするとともに、アンテナ１１ａに近い側に設けられているスピーカ１０ａから出力する音声の音量を小さくするように調整する。
【０１１９】
上記の構成により、本変形例に係る表示装置１”は、ユーザの視線方向に基づいて、表示する画像の表示位置を決定することができるので、ユーザにとって違和感の少ない画面表示を実現することができる。また、出力する音声は、スマートフォン２’が存在する位置に近い側のスピーカから出力されるため、ユーザにとって違和感の少ない音声出力を実現することができる。
【０１２０】
〔実施形態５〕
表示装置１の制御ブロック（特に位置特定部１３、表示制御部１４、電波強度検出部１５ａ、１５ｂ、視線方向特定部１８、および、音声制御部１９）は、集積回路（ＩＣチップ）等に形成された論理回路（ハードウェア）によって実現してもよいし、ＣＰＵを用いてソフトウェアによって実現してもよい。
【０１２１】
後者の場合、表示装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２２】
〔まとめ〕
本発明の態様１に係る表示装置１は、一又は複数の画像を表示する表示部を備えた表示装置であって、一又は複数の携帯型情報端末（スマートフォン２）から送信される信号を受信する信号受信手段（アンテナ１１ａ、１１ｂ）と、上記信号受信手段が受信した上記信号の送信元である送信元携帯型情報端末と、当該表示装置との相対的な位置を特定する位置特定手段（位置特定部１３）と、上記送信元携帯型情報端末に関連付けられた画像の上記表示部における表示位置を、上記位置特定手段により特定された上記相対的な位置に基づいて決定する表示位置決定手段（表示制御部１４）と、上記送信元携帯型情報端末に関連付けられた画像を、上記表示位置決定手段により決定された上記表示位置に表示する表示制御手段（表示制御部１４）と、を備えている。
【０１２３】
上記の構成によれば、位置特定部１３は、表示装置１に信号を送信するスマートフォン２と、表示装置１との相対的な位置を特定する。表示制御部１４は、スマートフォン２に関連付けられた画像の表示位置を、特定したスマートフォン２と、表示装置１との相対的な位置に基づいて決定することができる。
【０１２４】
したがって、上記の構成によれば、表示装置１は、人の存在を検知するための検知手段を新たに設けることなく、スマートフォン２（携帯型情報端末）に関連付けられた画像の表示位置を好適に決定することができる。
【０１２５】
本発明の態様２に係る表示装置１は、上記態様１において、上記信号受信手段が受信する信号には、画像信号が含まれており、当該表示装置は、上記画像信号の示す画像と、当該画像信号の送信元である携帯型情報端末とを関連付けて管理する第１の管理手段（受信信号解析部１２）を備えている。
【０１２６】
上記の構成によれば、表示装置１は、スマートフォン２から送信される画像を表示することができる。さらに、スマートフォン２から送信された画像と、スマートフォン２とを関連付けて管理することができる。
【０１２７】
したがって、上記の構成によれば、表示装置１は、スマートフォン２から送信される画像の表示位置を好適に決定することができるため、ユーザにとって最適な画面表示を実現することができる。
【０１２８】
本発明の態様３に係る表示装置１は、上記態様１において、上記信号受信手段が受信する信号には、操作信号が含まれており、当該表示装置は、上記操作信号による操作の対象となる画像と、当該操作信号の送信元である携帯型情報端末とを関連付けて管理する第２の管理手段（受信信号解析部１２）を備えている。
【０１２９】
上記の構成によれば、表示装置１は、スマートフォン２から送信された操作信号による操作の対象となる画像と、スマートフォン２とを関連付けて管理することができる。
【０１３０】
したがって、上記の構成によれば、表示装置１は、スマートフォン２に関連付けられた画像の表示位置を好適に決定することができるため、ユーザにとって最適な画面表示を実現することができる。
【０１３１】
本発明の態様４に係る表示装置１は、上記態様１から３において、上記表示部が複数の画像を表示する場合、上記表示位置決定手段は、上記複数の画像のうち、上記送信元携帯型情報端末に関連付けられた画像以外の画像の表示位置または表示サイズの少なくとも何れかを、上記送信元携帯型情報端末に関連付けられた画像の表示位置に応じて決定する、ことが好ましい。
【０１３２】
本発明の態様５に係る表示装置１は、上記態様１から４において、上記信号受信手段が受信した上記信号の送信元である上記携帯型情報端末のユーザを特定するユーザ特定手段（ユーザ特定部１６）と、上記送信元携帯型情報端末に関連付けられた画像の画質を、上記ユーザ特定手段により特定されたユーザに対して予め定められた、画質調整の設定値を示すユーザ設定情報に基づいて調整する画質調整手段（表示制御部１４）と、をさらに備えていることが好ましい。
【０１３３】
上記の構成によれば、ユーザ特定部１６は、スマートフォン２のユーザを特定する。表示制御部１４は、ユーザ特定部１６により特定されたユーザに対して予め定められた、画質調整の設定値を示すユーザ設定情報に基づいて、表示部１７に表示する各画像の画質を調整することができる。
【０１３４】
したがって、上記の構成によれば、スマートフォン２のユーザの好みに応じて、表示する画像の画質を調整することができる。
【０１３５】
本発明の態様６に係る表示装置１は、上記態様５において、上記ユーザ設定情報は、上記信号受信手段が上記携帯型情報端末から受信する上記信号に含まれている、ことが好ましい。
【０１３６】
本発明の態様７に係る表示装置１は、上記態様１から６において、上記信号受信手段は、複数のアンテナ（アンテナ１１ａ、１１ｂ）と、上記複数のアンテナの各々が受信した電波の電波強度を検出する複数の電波強度検出手段（電波強度検出部１５ａ、１５ｂ）を備え、上記位置特定手段は、上記複数の電波強度検出手段が検出した複数の電波強度のうち、何れか２つの電波強度の差に基づいて、上記携帯型情報端末と、当該表示装置との相対的な位置を特定する、ことが好ましい。
【０１３７】
上記の構成によれば、電波強度検出部１５ａ、１５ｂは、アンテナ１１ａ、１１ｂがスマートフォン２から受信した電波の電波強度をそれぞれ検出する。位置特定部１３は、電波強度検出部１５ａが検出した電波強度と、電波強度検出部１５ｂが検出した電波強度との差に基づいて、表示装置１と、スマートフォン２との相対的な位置を特定することができる。
【０１３８】
本発明の態様８に係る表示装置１’は、上記態様１から６において、上記携帯型情報端末のユーザの視線方向を特定する視線方向特定手段（視線方向特定部１８）をさらに備え、上記位置特定手段（位置特定部１３’）は、上記視線方向特定手段が特定した上記ユーザの視線方向に基づいて、上記携帯型情報端末（スマートフォン２’）と、当該表示装置との相対的な位置を特定する、ことが好ましい。
【０１３９】
上記の構成によれば、視線方向特定部１８は、スマートフォン２’のユーザの視線方向を特定する。位置特定部１３’は、視線方向特定部１８が特定したユーザの視線方向に基づいて、スマートフォン２’と表示装置１’との相対的な位置を特定することができる。
【０１４０】
本発明の態様９に係る表示装置１’は、上記態様８において、上記視線方向特定手段は、上記携帯型情報端末の備える撮像手段（撮像部２３）により撮像された、上記携帯型情報端末のユーザの顔画像に基づいて、上記視線方向を特定する、ことが好ましい。
【０１４１】
上記の構成によれば、視線方向特定部１８は、撮像部２３により撮像された、スマートフォン２’のユーザの顔画像を取得する。視線方向特定部１８は、取得したユーザの顔画像に基づいて、該ユーザの視線方向を特定することができる。
【０１４２】
したがって、上記の構成によれば、表示装置１’は、ユーザの視線方向を、より正確に特定することができる。
【０１４３】
本発明の態様１０に係る表示装置１は、上記態様１から９において、上記信号受信手段が上記携帯型情報端末から受信する上記信号には、上記表示部に表示する画像のコンテンツを選択するためのコンテンツ選択情報が含まれている、ことが好ましい。
【０１４４】
上記の構成によれば、表示装置１は、表示部１７に表示する画像のコンテンツを選択するための情報を示すコンテンツ情報をスマートフォン２から受信することができる。上記の場合、スマートフォン２から送信されるコンテンツ情報は、スマートフォン２のユーザが所望するコンテンツを示している。
【０１４５】
したがって、上記の構成によれば、表示装置１は、スマートフォン２のユーザが所望する画像の表示位置を、より好適に設定することができる。
【０１４６】
本発明の態様１１に係る表示装置１”は、上記態様５又は６において、上記表示部に表示する各画像に対応する音声を出力する複数の音声出力手段（スピーカ１０ａ、１０ｂ）と、上記送信元携帯型情報端末に関連付けられた画像に対応する音声の音量または音質の少なくとも何れかを、上記ユーザ特定手段（ユーザ特定部１６’）により特定されたユーザに対して予め定められた、上記音声の音量および音質の設定値を示す音声設定情報と、上記位置特定手段により特定された上記位置とに基づいて調整する音声調整手段（音声制御部１９）と、をさらに備えていることが好ましい。
【０１４７】
上記の構成によれば、音声制御部１９は、スピーカ１０ａ、１０ｂを制御しており、上記音声設定情報と、位置特定部１３”により特定された位置とに基づいて、音声を出力するか否かを制御する。音声制御部１９は、スマートフォン２’に関連付けられた画像に対応する音声の音量または音質の少なくともの何れかを、ユーザ特定部１６’により特定されたユーザに対して予め定められた、音声の音量および音質の設定値を示す音声設定情報と、位置特定部１３”により特定された上記位置とに基づいて調整することができる。
【０１４８】
したがって、上記の構成によれば、スマートフォン２’のユーザの位置に応じて、スマートフォン２’に関連付けられた画像に対応する音声の音量または音質の少なくともの何れかを調整するとともに、スマートフォン２’のユーザの好みに応じて、表示する画像に対応する音声の音量及び音質を調整することができる。
【０１４９】
本発明の態様１２に係る表示装置は、上記態様１１において、上記音声設定情報は、上記信号受信手段が上記携帯型情報端末から受信する上記信号に含まれている、ことが好ましい。
【０１５０】
本発明の態様１３に係る表示装置の制御方法は、一又は複数の画像を表示する表示部を備えた表示装置の制御方法において、一又は複数の携帯型情報端末から送信される信号を受信する信号受信ステップと、上記信号受信ステップにて受信した上記信号の送信元である送信元携帯型情報端末と、当該表示装置との相対的な位置を特定する位置特定ステップと、上記送信元携帯型情報端末に関連付けられた画像の上記表示部における表示位置を、上記位置特定ステップにて特定された上記相対的な位置に基づいて決定する表示位置決定ステップと、上記送信元携帯型情報端末に関連付けられた画像を、上記表示位置決定ステップにて決定された上記表示位置に表示する表示制御ステップと、を含んでいる、
ことを特徴としている。
【０１５１】
上記の構成によれば、上記の表示装置１と同様の効果を奏する。
【０１５２】
本発明の態様１４に係るテレビジョン受像機は、上記態様１から１２のいずれかに係る表示装置を備えており、そのようなテレビジョン受像機も本発明の範疇に入る。
【０１５３】
本発明の各態様に係る表示装置１は、コンピュータによって実現してもよく、この場合には、コンピュータを上記表示装置１が備える各手段として動作させることにより上記表示装置１をコンピュータにて実現させる表示装置の制御プログラム、およびそれを記録したコンピュータ読み取り可能な記録媒体も、本発明の範疇に入る。
【０１５４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１５５】
本発明は、多画面表示が可能な表示装置に好適に利用することができる。
【符号の説明】
【０１５６】
１            表示装置（テレビジョン受像機）
１１ａ、１１ｂ    アンテナ（信号受信手段）
１２              受信信号解析部（第１の管理手段、第２の管理手段）
１３              位置特定部（位置特定手段）
１４              表示制御部（位置決定手段、表示制御手段、画質調整手段）
１５ａ、１５ｂ    電波強度検出部（電波強度検出手段）
１６              ユーザ特定部（ユーザ特定手段）
１７              表示部
１８              視線方向特定部（視線方向特定手段）
１８ａ              画像取得部
１８ｂ              視線方向演算部
１９              音声制御部（音声調整手段）
１０ａ、１０ｂ    スピーカ（音声出力手段）
２          スマートフォン（携帯型情報端末、送信元携帯型情報端末）
２１            送信信号生成部
２２            アンテナ
２３            撮像部（撮像手段）
【図１】
2015002540.tif 000003
【図２】
2015002540.tif 000004
【図３】
2015002540.tif 000005
【図４】
2015002540.tif 000006
【図５】
2015002540.tif 000007
【図６】
2015002540.tif 000008
【図７】
2015002540.tif 000009
【図８】
2015002540.tif 000010
【図９】
2015002540.tif 000011
【図１０】
2015002540.tif 000012
【図１１】
2015002540.tif 000013
【図１２】
2015002540.tif 000014
【図１３】
2015002540.tif 000015
【図１４】
2015002540.tif 000016